(57)【要約】【課題】  双方向通信機能を備えていなくとも、放送に付随する情報を有効に利用することを可能とする放送受信装置を提供すること。【解決手段】  放送受信装置を特定するＩＤデータを記憶する記憶手段と、放送に付随する付随情報を放送局から受信する付随情報受信手段と、記憶手段に記憶されたＩＤデータと付随情報受信手段が受信した付随情報とをコード化したコード情報を生成する生成手段と、生成手段により生成されたコード情報を、外部に接続した表示手段に出力する出力手段とを備えた放送受信装置。【選択図】    図１
2007027824.tif 000002
【特許請求の範囲】
【請求項１】
放送受信装置を特定するＩＤデータを記憶する記憶手段と、
放送に付随する付随情報を放送局から受信する付随情報受信手段と、
前記記憶手段に記憶されたＩＤデータと前記付随情報受信手段が受信した付随情報とをコード化したコード情報を生成する生成手段と、
前記生成手段により生成されたコード情報を、外部に接続した表示手段に出力する出力手段と
を備えたことを特徴とする放送受信装置。
【請求項２】
前記付随情報受信手段は、放送視聴料金の決済に係る決済用データを受信し、
前記生成手段は、前記記憶手段に記憶されたＩＤデータと前記付随情報受信手段が受信した決済用データとをコード化したコード情報を生成することを特徴とする請求項１に記載の放送受信装置。
【請求項３】
コード情報を表示可能な内蔵表示手段
を備え、
前記出力手段は、前記内蔵表示手段にコード情報を出力することを特徴とする請求項１又は２に記載の放送受信装置。
【発明の詳細な説明】
【技術分野】
【０００１】
本発明は、放送受信装置に関する。
【背景技術】
【０００２】
従来、放送衛星、通信衛星等の衛星やケーブル回線を介して、テレビジョン信号を伝送し、各家庭においてこれを受信するシステムが普及している。このシステムを利用する受信者宅には、受信したテレビジョン信号から放送を視聴可能とするための放送受信装置（例えば、セットトップボックス）が設置されている。放送受信装置が受信するテレビジョン信号には、放送に係る映像データや音声データに加えて、放送内容に付随する情報が含まれおり、受信者がリモコン等により放送受信装置を操作すると、必要に応じた付随情報がテレビ画面に表示される。
【０００３】
さらに、近年のテレビジョン放送においては、付随情報を利用して放送中のクイズ番組に参加したり、放送中の番組で紹介されている商品を購入したりすることが可能となっている。すなわち、例えば、クイズ番組であれば、付随情報として回答を入力するための入力フォームがテレビジョン信号に含めて送信され、受信者が放送受信装置を操作してこの入力フォームに回答を入力し、これを番組制作者のサーバ等に送信することにより受信者は、クイズ番組に参加することが可能となっている。このような双方向通信機能を利用するために、受信者は、放送受信装置の他に、インターネット等を介してデータ通信を行うためのケーブルモデム等を別途放送受信装置に接続して設置するか、ケーブルモデム内蔵型の放送受信装置（例えば、特許文献１）を設置する必要があった。
【０００４】
【特許文献１】特開２００４−２５４１０２号公報
【発明の開示】
【発明が解決しようとする課題】
【０００５】
しかしながら、データ通信を行うためのケーブルモデム等を別途設置するには、設置スペースを確保する必要があるといった問題があった。また、省スペース化の観点から登場した特許文献１に記載のケーブルモデム内蔵型放送受信装置では、頻繁には双方向通信機能を利用しない受信者にとっては、内蔵していないものに比べて高価となってしまうためにその購入が躊躇されて、結局、双方向通信機能を全く利用できないといった事態となる問題があった。
【０００６】
本発明は、上述した課題に鑑みてなされたものであり、その目的は、双方向通信機能を備えていなくとも、放送に付随する情報を有効に利用することを可能とする放送受信装置を提供することにある。
【課題を解決するための手段】
【０００７】
以上のような目的を達成するために、本発明は、以下のようなものを提供する。
（１）  放送受信装置を特定するＩＤデータを記憶する記憶手段と、
放送に付随する付随情報を放送局から受信する付随情報受信手段と、
上記記憶手段に記憶されたＩＤデータと上記付随情報受信手段が受信した付随情報とをコード化したコード情報を生成する生成手段と、
上記生成手段により生成されたコード情報を、外部に接続した表示手段に出力する出力手段と
を備えた放送受信装置。
【０００８】
（１）の発明によれば、放送受信装置（例えば、セットトップボックス）を特定するＩＤデータと放送局から受信した付随情報とから生成したコード情報が外部に接続した表示手段（例えば、テレビジョン受像機）に出力される。
このコード情報には、放送受信装置を特定するＩＤデータが含まれており、受信者を特定することができるため、例えば、付随情報が、クイズ番組に参加するための回答を入力するための入力フォームである場合には、受信者は、携帯電話機が備えるカメラ等でコード情報を撮像し、得られた画像データに基づいて生成されたＩＤデータと回答を入力した入力フォーム（付随情報）とをサーバ等に送信することにより、クイズ番組に参加することが可能になり、また、例えば、付随情報が、放送中の番組で紹介されている商品を購入するための入力フォームである場合には、受信者は、携帯電話機が備えるカメラ等でコード情報を撮像し、得られた画像データに基づいて生成されたＩＤデータと商品購入の旨が入力された入力フォーム（付随情報）とをサーバ等に送信することにより、当該商品を購入することが可能になるといったように、双方向通信機能を備える装置が接続されていなくとも、付随情報を有効に利用することが可能になる。
また、コード情報には、放送受信装置を特定するＩＤデータが含まれており、受信者を特定することができるため、受信者が付随情報を利用する際に個人情報の入力、記入等を行わなくてもよく、煩雑さを伴わずに付随情報を利用することができる。
【０００９】
さらに、本発明は、以下のようなものを提供する。
（２）  上記（１）の放送受信装置であって、
上記付随情報受信手段は、放送視聴料金に係る決済用データを受信し、
上記生成手段は、上記記憶手段に記憶されたＩＤデータと上記付随情報受信手段が受信した決済用データとをコード化したコード情報を生成することを特徴とする。
【００１０】
（２）の発明によれば、ＩＤデータと放送視聴料金の決済に係る決済用データとから生成したコード情報が外部に接続した表示手段に出力される。
このコード情報には、放送受信装置を特定するＩＤデータが含まれており、受信者を特定することができるため、受信者は、携帯電話機が備えるカメラ等でコード情報を撮像し、得られた画像データに基づいて生成されたＩＤデータと決済用データとをサーバ等に送信することにより、視聴料金（例えば、月々固定の受信料金や番組毎に設定された番組視聴料金等）の決済を行うことができる。
また、コード情報を撮像して得られた画像データ（例えば、バーコード）を印刷又は携帯電話機のメモリ等に記憶させて、コンビニエンスストアのレジに備えられているバーコードリーダ等に読み取らせることにより、決済をすることが可能となる。
【００１１】
（３）  上記（１）又は（２）の放送受信装置であって、
コード情報を表示可能な内蔵表示手段
を備え、
上記出力手段は、上記内蔵表示手段にコード情報を出力することを特徴とする。
【００１２】
（３）の発明によれば、内蔵表示手段を備えているため、省スペース化することができるとともに、生成したコード情報を表示することができる。
【発明の効果】
【００１３】
本発明によれば、双方向通信機能を備えていなくとも、放送に付随する情報を有効に利用することを可能とする放送受信装置を提供することが可能になる。
【発明を実施するための最良の形態】
【００１４】
図１は、本実施形態に係る放送受信システムの一例を示す構成図である。
放送受信システム１は、放送局２０と、放送局２０から受信した放送データをテレビジョン受像機８０に出力する放送受信装置４０と、ＣＣＤカメラ３０８（図示せず、図４参照）を備えた携帯電話機３００と、決済機関６０とを備えている。
【００１５】
本実施形態では、本発明における付随情報が番組特定データと決済用データとからなる情報である場合について説明する。なお、付随情報とは、放送される映像信号、映像信号とは異なる情報であり、放送に付随する情報をいう。また、番組特定データとは、番組を特定するためのデータをいい、例えば、番組名や番組コード等が含まれる。決済用データとは、当該番組の視聴料金の決済に用いられるデータをいい、管理サーバ２００内の決済用アドレス（ＵＲＬ）や具体的な視聴料金のデータが含まれる。
【００１６】
放送局２０は、放送送出装置３０と管理サーバ２００とから構成されている。
管理サーバ２００では、付随情報等の共通情報や放送受信装置４０のＩＤデータ等の個別情報が記憶されている。放送送出装置３０は、スクランブル処理した映像信号、音声信号とともに、管理サーバ２００から供給される共通情報や個別情報を多重化して制限放送データとして送信用アンテナ２１から送出する。
【００１７】
放送受信装置４０では、受信用アンテナ２２から制限放送データを受信すると、信号を分離して映像信号、音声信号、共通情報、個別情報を取り出す。そして、受信した共通情報、個別情報、及び、放送受信装置４０に記憶されているマスタ鍵から受信者が当該番組の視聴契約を行っているかを判断し、視聴契約を行っていると判断した場合には、スクランブルが解除され視聴可能になる。
【００１８】
さらに、放送受信装置４０では、受信した付随情報と放送受信装置４０に記憶されているＩＤデータとをコード化して２次元コードを生成し、映像信号と重ね合わせてテレビジョン受像機８０に出力する。表示手段としてのテレビジョン受像機８０に２次元コード９２が表示されると、受信者は、携帯電話機３００が備えるＣＣＤカメラ３０８により、２次元コード９２を撮像することができる。
【００１９】
携帯電話機３００は、ＣＣＤカメラ３０８が２次元コード９２を撮像した際に得られる画像データから２次元コードを認識し、この認識した２次元コードから、付随情報とＩＤデータとを生成する。そして、付随情報とＩＤデータとを管理サーバ２００に送信する。
【００２０】
管理サーバ２００は、携帯電話機３００から付随情報（番組特定データ、決済用データ）とＩＤデータとを受信すると、決済機関６０に対して決済要求を行い、決済が完了すると、視聴制限を解除する制限解除信号を、放送送出装置３０に送信する。
【００２１】
このように、放送受信システム１によれば、受信者は、テレビジョン受像機８０の画面に表示される２次元コード９２を携帯電話機３００が備えるＣＣＤカメラ３０８により撮像することにより付随情報とＩＤデータとを取得することができ、管理サーバ２００に送信することにより、視聴に制限がかけられた番組の制限を解除することができる。また、当該番組の視聴料金の決済を行うことができる。
【００２２】
本実施形態ではコード情報として、２次元コードを用いる場合について説明するが、本発明におけるコード情報は、２次元コードのみならず、１次元コード（バーコード）も含まれる。また、本実施形態では、２次元コードとしてＱＲコード（登録商標）を用いる場合について説明するが、本発明はこの例に限定されるものではない。
【００２３】
携帯電話機３００は、本発明の携帯端末機に相当するものである。なお、本発明の携帯端末機は、撮像手段を備え、かつ、管理サーバと通信回線を介してデータの送受信を行うことが可能であれば、特に限定されるものではなく、例えば、パーソナル・ディジタル・アシスタンツ等を挙げることができる。
【００２４】
また、本実施形態においては、携帯電話機３００と管理サーバ２００とが無線によりデータの送受信を行う場合について説明するが、本発明は、この例に限定されず、有線により送受信を行うこととしてもよい。すなわち、本発明における通信回線には、有線と、無線による伝送路とが含まれる。
【００２５】
図２は、図１に示した放送送出装置と放送受信装置との内部構成を示すブロック図である。
図２に示すように、放送送出装置３０は、映像スクランブラ３１、音声スクランブラ３２、ＰＮ発生器３３、多重化部３４、受信者別マスタ鍵ファイル３５、暗号化部３６、３７及び送出部３８から構成されている。これらの各部は、図示しないＣＰＵによって、ＲＯＭ等に記憶された所定のプログラムに従い制御されている。
【００２６】
まず、放送送出装置３０では、放送しようとする映像信号及び音声信号がそれぞれ対応する映像スクランブラ３１及び音声スクランブラ３２に入力されると、スクランブル鍵Ｋｓによって設定される初期値に基づいて、ＰＮ発生器３３より供給されるＰＮ系列に基づきスクランブル処理が行われる。
ＰＮ発生器３３は、所定の規則に基づいて擬似的な符号系列（ＰＮ系列）を生成する回路を有していて、その初期値はスクランブル鍵Ｋｓにより設定される。スクランブル鍵Ｋｓは、映像スクランブラ３１及び音声スクランブラ３２に用いられるＰＮ系列の初期値を設定するものであり、放送受信装置４０が備えるＰＮ発生器４２との同期のために用いられるものである。なお、スクランブル処理は、従来公知の技術（例えば、映像信号に関しては走査線内信号切替方式、走査線転移方式、また、音声信号に関してはＰＮ信号系列加算方式等）を採用することができる。
【００２７】
暗号化部３７では、スクランブル鍵Ｋｓが、付随情報（番組特定データ、決済用データ）を含む共通情報とともに暗号化されるのであるが、このとき、ワーク鍵Ｋｗがスクランブル鍵Ｋｓの伝送時の暗号鍵として暗号化部３７に入力され、共に暗号化される。ワーク鍵Ｋｗは、スクランブル鍵Ｋｓの伝送時の暗号鍵として用いられるものである。放送送出装置３０では、これらの共通情報が管理サーバ２００から所定のタイミングで送信され、暗号化部３７において暗号化される。
【００２８】
一方、契約内容や放送受信装置４０のＩＤデータ等の個別情報が受信者別マスタ鍵ファイル３５に入力され、受信者毎（放送受信装置４０毎）に異なるマスタ鍵Ｋｍｉが読み出されると、暗号化部３６では、このマスタ鍵Ｋｍｉが暗号鍵として入力され、ワーク鍵Ｋｗが個別情報と共に暗号化される。マスタ鍵ファイル３５は、多数のマスタ鍵Ｋｍ１〜Ｋｍｎを収納しており、管理サーバ２００からの選択命令によりそのうちのひとつのマスタ鍵Ｋｍｘが選択される。ＩＤデータは、放送受信装置４０を特定するデータであり、放送受信装置４０に固有のデータである。放送送出装置３０では、これらの個別情報が管理サーバ２００から所定のタイミングで受信され、暗号化部３６において暗号化される。
【００２９】
そして、映像スクランブラ３１、音声スクランブラ３２、暗号化部３６、３７から送出された各出力信号は、多重化部３４に入力されて多重化された後、送信部３８を介して送信用アンテナ２１から制限放送データとして各受信者に送信される。
【００３０】
また、放送受信装置４０は、信号分離部４１、ＰＮ発生器４２、映像デスクランブラ４３、音声デスクランブラ４４、マスタ鍵記憶部４５、復号部４６、４７、契約条件比較回路４８、受信部５０及び出力手段としての出力部５１、入力処理部５２、ＣＰＵ５３、ＲＯＭ５４、ＲＡＭ５５から構成されている。
【００３１】
放送受信装置４０では、受信用アンテナ２２から、受信部５０を介して制限放送データを受信すると、信号分離部４１では、多重化された各信号が分離される。これにより、スクランブルされた映像信号は映像デスクランブラ４３に入力され、スクランブルされた音声信号は音声デスクランブラ４４に入力され、暗号化部３６で暗号化された暗号信号は復号部４６に入力され、更に暗号化部３７で暗号化された暗号信号は復号部４７に入力される。制限放送データには、付随情報（番組特定データ、決済用データ）が含まれている。受信部５０は、付随情報受信手段として機能するものである。
【００３２】
マスタ鍵記憶部４５は、取り外し不能に放送受信装置４０内に備えられたＩＣチップであり、放送受信装置４０固有のマスタ鍵ＫｍｉやＩＤデータを記憶している。マスタ鍵記憶部４５は、放送受信装置４０を特定するＩＤデータを記憶する記憶手段として機能するものである。複合部４６では、このマスタ鍵Ｋｍｉを用いて受信したスクランブル放送信号中のワーク鍵Ｋｍ及び個別情報を復号する。復号されたワーク鍵Ｋｗは復号部４７に復号鍵として入力される。復号部４７では、受信したスクランブル放送信号中のスクランブル鍵Ｋｓ及び共通情報をそれぞれ復号させる。
【００３３】
復号部４６より取り出された個別情報及び復号部４７より取り出された共通情報は、それぞれ契約条件比較回路４８に入力され、ここで所定の契約条件を満足するか否かが判定される。契約条件を満足するときには、契約条件比較回路４４からＰＮ発生器４２へ作動信号が出力される。このＰＮ発生器４２は作動信号が入力され、かつ、復号部４７より正しいスクランブル鍵Ｋｓが入力されたときに、放送送出装置３０のＰＮ発生器３３より出力されるＰＮ系列と同じＰＮ系列を発生し、映像デスクランブラ４３及び音声デスクランブラ４４にそれぞれ入力する。このようにして、映像デスクランブラ４３からスクランブル処理が解除された映像信号が取り出され、音声デスクランブラ４４からスクランブル処理が解除された音声信号が取り出される。
【００３４】
また、ＣＰＵ５３は、マスタ鍵記憶部４５に記憶されているＩＤデータと復号部４７より取り出された共通情報に含まれる付随情報（番組特定データ、決済用データ）とをコード化して２次元コードを生成する。この２次元コードは、ＯＳＤ（オン・スクリーン・ディスプレイ）回路５６に出力され、映像デスクランブラ４３から出力された映像信号と合成されて出力部５１から出力される。また、音声デスクランブラ４４から出力された音声信号が出力部５１から出力される。
【００３５】
指示入力部５２は、チャンネルの切り換え、２次元コードの表示等、放送の受信に関する指示入力を行うためのものである。２次元コードが生成されると、２次元コード表示確認画面が表示され、当該２次元コードに係る番組を選択可能となる。選択可能となった番組のなかから受信者が視聴を希望する番組を選択すると、２次元コードが出力されることとなる。
【００３６】
ＲＯＭ５４は、放送受信装置４０を動作させるための所定のプログラムや各部に指示を与える制御指令（コマンド）等が格納されている。ＲＡＭ５５は、ＣＰＵ５３の一時記憶領域として種々の変数や生成された２次元コード等を記憶する機能を有する。
【００３７】
図３は、放送局が有する管理サーバの内部構成を示すブロック図である。
管理サーバ２００は、演算処理装置としてのＣＰＵ２０１と、ＲＯＭ２０２と、ＲＡＭ２０３と、通信用インターフェイス回路２０４と、ハードディスクドライブ２０５とを備えている。
【００３８】
通信用インターフェイス回路２０４は、携帯電話機３００や決済機関６０とインターネットを介して通信することが可能であり、また、放送送出装置３０と接続されていてデータ通信を行うことが可能である。
【００３９】
ハードディスクドライブ２０５には、付随情報（番組特定データ、決済用データ）等が共通情報として記憶されている。共通情報は、放送受信装置４０から送出される番組の内容に応じて所定のタイミングで通信用インターフェイス回路２０４を介して放送受信装置４０に出力される。
また、ハードディスクドライブ２０５には、個別情報として、受信者の契約内容、放送受信装置４０のＩＤデータ、受信者が利用する決済機関６０の口座番号や名義人名等が記憶されている。これら個別情報のうち、受信者の契約内容やＩＤデータ等の所定の情報が、放送される番組の内容に応じて所定のタイミングで放送受信装置４０に出力される。
【００４０】
また、ハードディスクドライブ２０５には、携帯電話機３００から受信した放送受信装置４０のＩＤデータ、番組特定データ、決済用データとを対応付けて記憶する領域がある。ＣＰＵ２０１は、携帯電話機３００からＩＤデータ、番組特定データ、決済用データを受信すると、ＩＤデータに対応する受信者の口座番号等を読み出し、決済機関６０に対して決済用データに基づく視聴料金を当該口座から引き落とす要求を行う。本実施形態では、ＩＤデータに対応する受信者の口座番号に基づいて決済を行う場合について説明するが、この例に限定されず、クレジットカード等の番号であってもよく、決済を行うことが可能であれば、特に限定されるものではない。
さらに、ＣＰＵ２０１は、決済機関６０から引き落としの完了通知を受信すると、該番組特定データに対応する番組の視聴制限を解除する制限解除信号（ＩＤデータ）を個別情報に含めて所定のタイミング（例えば、当該番組の放送が開始されるタイミング）で放送送出装置３０に出力する。その結果、制限解除信号（ＩＤデータ）に対応する受信者の放送受信装置４０のみで当該番組を視聴することが可能となることになる。
【００４１】
また、ハードディスクドライブ２０５は、携帯電話機３００にダウンロードさせるためのプログラムを記憶している。ＣＰＵ２０１は、プログラムのダウンロードを要求する旨の信号を携帯電話機３００から受信した際に、ハードディスクドライブ２０５からプログラムを読み出し、上記プログラムを通信用インターフェイス回路２０４からインターネットを介して携帯電話機３００に送信する。
【００４２】
図４は、図１に示した携帯電話機の内部構成を示すブロック図である。
携帯電話機３００は、操作部３０４、液晶パネル３０６、ＣＣＤカメラ３０８、無線部３１０、音声回路３１２、スピーカ３１４、マイク３１６、送受信アンテナ３１８、不揮発性メモリ３２０、マイクロコンピュータ３２２及び二次電池３２４を備えている。
【００４３】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【００４４】
スピーカ３１４は、音声回路３１２から出力された受信信号を受信音声に変換して出力し、マイク３１６は、操作者から発せられた送信音声を音声信号に変換して音声回路３１２に出力する。
ＣＣＤカメラ３０８は、テレビジョン受像機８０の画面に表示される２次元コード９２を撮像可能であり、撮像して得られた画像データは不揮発性メモリ３２０に記憶される。本実施形態では、撮像手段としてＣＣＤカメラを用いる場合について説明するが、本発明における撮像手段は、特に限定されるものではなく、例えば、ＣＭＯＳセンサカメラ等を挙げることができる。
【００４５】
不揮発性メモリ３２０は、例えば、ＣＣＤカメラ３０８が２次元コード９２を撮像して得られた画像データ等の各種データや各種プログラムを不揮発的に記憶する。
二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。
【００４６】
マイクロコンピュータ３２２は、操作部３０４を介して入力された所定の指示に基づいて、インターネットを介してサーバ２００から所定のプログラムをダウンロードし、不揮発性メモリ３２０に格納する。そして、マイクロコンピュータ３２２は、上記プログラムを不揮発性メモリ３２０から読み出して実行することにより、下記（Ａ）〜（Ｂ）のように機能する。
【００４７】
（Ａ）マイクロコンピュータ３２２は、ＣＣＤカメラ３０８が２次元コード９２を撮像した際に得られる画像データから２次元コードを認識し、この認識した２次元コードからＩＤデータと付随情報とを生成する。
（Ｂ）マイクロコンピュータ３２２は、上記（Ａ）において生成されたＩＤデータと付随情報とを、無線部３１０及び送受信アンテナ３１８により、インターネットを介して、サーバ２００に送信する。
【００４８】
本実施形態では、携帯電話機３００がサーバ２００からプログラムをダウンロードする場合について説明するが、予め携帯電話機３００の不揮発性メモリ３２２に記憶される（プレインストールされる）こととしてもよい。
【００４９】
図５は、放送受信装置において実行されるエンコード処理を示すフローチャートである。
まず、復号部４７で複合された共通情報に含まれる付随情報とマスタ鍵記憶部４５に記憶されているＩＤデータとをセットする（ステップＳ１００）。
【００５０】
次に、付随情報とＩＤデータとの文字種（例えば、数字、英数字等）に応じたモード識別子を作成する（ステップＳ１０１）。次に、付随情報とＩＤデータとの文字数に応じた文字数識別子を作成する（ステップＳ１０２）。次に、付随情報とＩＤデータとを２進化する処理を行う（ステップＳ１０３）。次に、ステップＳ１０１〜Ｓ１０３により得られたデータに終端パターンを付加する処理を行う（ステップＳ１０４）。
【００５１】
次に、ステップＳ１０４により得られたデータのコード語変換を行い（ステップＳ１０５）、さらに、ステップＳ１０５により得られたデータに基づいてエラー訂正コード語を作成し、ステップＳ１０５により得られたデータに付加する（ステップＳ１０６）。次に、ステップＳ１０６により得られたデータを２進化し、マトリックス状に配置する処理を行う（ステップＳ１０７）。
次に、ステップＳ１０７により得られたデータに対して所定パターンのマスクをかける処理を行う（ステップＳ１０８）。次に、エラー訂正レベルとマスク識別子とを含む形式情報を付加する処理を行い（ステップＳ１０９）、２次元コードを生成する（ステップＳ１１０）。生成された２次元コードは、ＲＡＭ５５に記憶される。その後、本サブルーチンを終了する。ステップＳ１００〜ステップＳ１１０の処理において放送受信装置４０は、２次元コードを生成する生成手段として機能する。
【００５２】
本実施形態においては、付随情報とＩＤデータとを２次元コードにエンコード（コード化）する場合について説明したが、本発明においてはこれに限定されず、その他のデータを含めてエンコードすることとしてもよい。
【００５３】
図６は、放送受信装置において実行される２次元コード出力処理のサブルーチンを示すフローチャートである。このサブルーチンは、図５に示した処理とは別に、予め実行されているメインルーチンから所定のタイミングで呼び出されて実行されるものである。
【００５４】
まず、２次元コードが生成されたか否かを判断し（ステップＳ１５０）、生成されていないと判断した場合には、本サブルーチンを終了する。
【００５５】
一方、生成されたと判断した場合には、当該２次元コードを表示させるか否かを確認するための２次元コード表示確認画面を出力する（ステップＳ１５１）。
【００５６】
次に、２次元コード表示承認入力があったか否かを判断する（ステップＳ１５２）。指示入力部５２を介して受信者から２次元コード表示承認入力があった場合には、ＲＡＭ５５に記憶された２次元コードを呼び出して出力し（ステップＳ１５３）、本サブルーチンを終了する。一方、２次元コード表示承認入力がなかった場合に、本サブルーチンを終了する。
【００５７】
図７は、携帯電話機において実行される２次元コード認識処理を示すフローチャートである。
まず、携帯電話機３００が備えるマイクロコンピュータ３２２は、操作部３０４を介して入力された指示に基づいて、撮像手段としてのＣＣＤカメラ３０８を駆動させ、テレビジョン受像機８０の画面に表示された２次元コード９２を撮像する（ステップＳ２００）。
【００５８】
次に、マイクロコンピュータ３２２は、ステップＳ２００において得られた画像データを不揮発性メモリ３２０に記憶させる（ステップＳ２０１）。
【００５９】
次に、マイクロコンピュータ３２２は、不揮発性メモリ３２０に記憶された画像データに対して画像変換処理を行う（ステップＳ２０２）。画像変換処理は、撮像されて得られた画像データから、２次元コードが表示されている領域の画像データを抜き出し、傾きや歪みを補正し、所定の閾値によりモノクロ画像に変換し、正面視した２次元コードを含む画像データを得る処理である。
【００６０】
次に、マイクロコンピュータ３２２は、ステップＳ２０２において得られた画像データから２次元コードを抽出し、ノイズ除去等の補正を行う（ステップＳ２０３）。
次に、マイクロコンピュータ３２２は、ステップＳ２０３において得られた２次元コードの２値化処理を行い、２次元コードを構成する各ドットを“０”又は“１”に置き換え（ステップＳ２０４）、２値化マトリックスデータを生成する（ステップＳ２０５）。次に、マイクロコンピュータ３２２は、２値化マトリックスデータをデコードし（ステップＳ２０６）、ＩＤデータと付随情報とを生成する（ステップＳ２０７）。その後、本サブルーチンを終了する。
【００６１】
図８は、管理サーバと決済機関とにおいて実行される処理を示すフローチャートである。
まず、管理サーバ２００は、２次元コード認識処理により得られたＩＤデータと付随情報とを携帯電話機３００からインターネットを介して受信する（ステップＳ３００）。
【００６２】
次に、管理サーバ２００は、ＩＤデータに対応する受信者の口座番号、名義人名を読み出し、決済機関６０に対して決済用データ（付随情報）に基づく視聴料金を当該口座から引き落とす要求を行う（ステップＳ３０１）。
【００６３】
決済機関６０は、口座番号と名義人との整合性等、引き落とし要求の有効性をチェックした後（ステップＳ４００）、引き落とし処理を実行し（ステップＳ４０１）、引き落とし完了通知を管理サーバ２００に送信する（ステップＳ４０２）。決済機関６０としては、銀行やクレジットカード会社等が挙げられる。
【００６４】
管理サーバ２００は、引き落とし完了通知を受信すると、ステップＳ３００において受信した番組特定データ（付随情報）に対応する番組の視聴制限を解除する制限解除信号を、所定のタイミング（例えば、当該番組の放送が開始されるタイミング）で放送送出装置３０に送信する（ステップＳ３０２）。その結果、受信者は、視聴に制限がかけられた番組の視聴が可能になる。
【００６５】
以上、本実施形態に係る放送受信装置４０によれば、ＩＤデータと決済用データ（付随情報）とから生成した２次元コード９２が外部に接続したテレビジョン受像機８０に出力される。
この２次元コード９２には、放送受信装置を特定するＩＤデータが含まれており、受信者を特定することができるため、受信者は、携帯電話機３００が備えるＣＣＤカメラ３０８で２次元コード９２を撮像し、得られた画像データに基づいて生成されたＩＤデータと決済用データとを管理サーバ２００に送信することにより、視聴料金（例えば、月々固定の受信料金や番組毎に設定された番組視聴料金等）の決済を行うことができる。従って、双方向通信機能を備える装置が接続されていなくとも、付随情報を有効に利用することが可能になる。
また、２次元コード９２には、放送受信装置４０を特定するＩＤデータが含まれており、受信者を特定することができるため、受信者が付随情報を利用する際に個人情報の入力、記入等を行わなくてもよく、煩雑さを伴わずに付随情報を利用することができる。
【００６６】
本実施形態では、付随情報が、番組特定データと決済用データとからなる情報である場合について説明したが、本発明においてはこれに限定されるものではない。本発明における付随情報として、例えば、クイズ番組に参加するための回答を入力するための入力フォームや放送中の番組で紹介されている商品を購入するための入力フォーム等であってもよい。この場合、付随情報が、クイズ番組に参加するための回答を入力するための入力フォームである場合には、受信者は、携帯電話機が備えるカメラ等でコード情報を撮像し、得られた画像データに基づいて生成されたＩＤデータと回答を入力した入力フォーム（付随情報）とをサーバ等に送信することにより、クイズ番組に参加することが可能になり、また、例えば、付随情報が、放送中の番組で紹介されている商品を購入するための入力フォームである場合には、受信者は、携帯電話機が備えるカメラ等でコード情報を撮像し、得られた画像データに基づいて生成されたＩＤデータと商品購入の旨が入力された入力フォーム（付随情報）とをサーバ等に送信することにより、当該商品を購入することが可能になるといったように、双方向通信機能を備える装置が接続されていなくとも、付随情報を有効に利用することが可能になる。
【００６７】
本実施形態では、テレビジョン受像機８０に２次元コードを出力する場合について説明したが、本発明における表示手段はこの例に限定されず、パーソナルコンピュータが備えるディスプレイやプロジェクター等であってもよい。
また、本実施形態では、放送受信装置４０の外部に接続されたテレビジョン受像機８０に２次元コードを出力する場合について説明したが、本発明においてはこれに限定されず、例えば、内蔵表示手段としてのテレビジョン受像機８０内に放送受信装置４０が組み込まれていてもよい。この場合、放送受信装置４０は、内蔵表示手段を備えているため、省スペース化することができるとともに、生成した２次元コード９２を表示することができる。
【００６８】
本実施形態では、記憶手段が、取り外し不能に放送受信装置４０内に備えられたＩＣチップである場合について説明したが、ＲＯＭやハードディスク等であってもよい。また、本実施形態ではＩＣチップがＩＤデータを記憶している場合について説明したが、ＩＣチップの代わりにＩＣチップリーダを備え、外部から挿入されるＩＣチップ内蔵のカード等に記憶されていてもよい。
【００６９】
本実施形態では、ＩＤデータと付随情報とを管理サーバ２００に送信すると、決済が行われた上で、制限がかけられた番組の視聴が可能である場合について説明したが、本発明においては、決済を行う前にパスワードの入力等を行うこととしてもよい。
【００７０】
本実施形態では、付属情報が放送局２０から送信される場合について説明したが、本発明における付属情報は、この例に限定されず、放送に関連する情報であればよく、例えば、指示入力部５２から入力される情報（例えば、番組特定データ）であってもよい。
【００７１】
本実施形態では、決済が完了したことを条件として制限解除信号を管理サーバ２００が放送送出装置３０に送信する場合について説明したが、本発明においては決済が完了していなくとも、制限解除信号を送信してもよい。この場合、２次元コード９２を撮像して得られた画像データを印刷又は携帯電話機３００のメモリ等に記憶させて、コンビニエンスストアのレジに備えられているバーコードリーダ等に読み取らせることにより、決済をすることが可能である。
【００７２】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７３】
【図１】本実施形態に係る放送受信システムの一例を示す構成図である。
【図２】図１に示した放送送出装置と放送受信装置との内部構成を示すブロック図である。
【図３】図１に示した管理サーバの内部構成を示すブロック図である。
【図４】図１に示した携帯電話機の内部構成を示すブロック図である。
【図５】放送受信装置において実行されるエンコード処理のサブルーチンを示すフローチャートである。
【図６】放送受信装置において実行される２次元コード出力処理のサブルーチンを示すフローチャートである。
【図７】携帯電話機において実行される２次元コード認識処理を示すフローチャートである。
【図８】管理サーバと決済機関とにおいて実行される処理を示すフローチャートである。
【符号の説明】
【００７４】
１  放送受信システム
２０  放送局
３０  放送送出装置
４０  放送受信装置
４３  映像デスクランブラ
４４  音声デスクランブラ
４５  マスタ鍵記憶部
５０  受信部
５１  出力部
５３  ＣＰＵ
５４  ＲＯＭ
５５  ＲＡＭ
６０  決済機関
８０  テレビジョン受像機
９２  ２次元コード
２００  管理サーバ
２０１  ＣＰＵ
２０２  ＲＯＭ
２０３  ＲＡＭ
２０５  ハードディスク
３００  携帯電話機
３０８  ＣＣＤカメラ
【図１】
2007027824.tif 000003
【図２】
2007027824.tif 000004
【図３】
2007027824.tif 000005
【図４】
2007027824.tif 000006
【図５】
2007027824.tif 000007
【図６】
2007027824.tif 000008
【図７】
2007027824.tif 000009
【図８】
2007027824.tif 000010